【手続補正書】
【提出日】平成20年8月19日(2008.8.19)
【手続補正１】
【補正対象書類名】明細書
【補正対象項目名】特許請求の範囲
【補正方法】変更
【補正の内容】
【特許請求の範囲】
【請求項１】  露光された静電潜像を有する帯電された光伝導エレメントがプリンティング媒体として使用され、かつペーパを前記光伝導エレメントに噛み合わせることによって前記潜像を前記ペーパに転写するための手段を含む電子写真プリンティングマシンにおいて、前記ペーパと前記光伝導エレメントとの間の接触を向上させるための機構が、
前記プリンティングマシン上に取り付けられ前記ペーパの移動方向を横切る方向に伸びるワイパアセンブリーであって、共通の旋回ロッド上に取り付けられた複数のブレードセグメントであって前記ペーパと噛み合って前記ペーパを前記ブレードセグメントに対して付勢するように前記旋回ロッドと共に旋回運動を行いそれぞれが前記旋回ロッドに関して制限された回転運動を行うようにトーションスプリングを介して前記旋回ロッドに独立して取り付けられる複数のブレードセグメントから構成されるワイパアセンブリーと、
前記旋回ロッドに接続され、前記ロッドをその長軸を中心に回転させて、これにより、前記ブレードセグメントを前記ペーパと噛み合わせる第１のドライブと、
選択的に前記ブレードセグメントを噛み合わせるための前記ブレードセグメントの少なくとも１つと動作的に関係して、前記トーションスプリングに抵抗して前記旋回ロッド上の前記ブレードの動きを制限し、これにより、前記選択されたブレードセグメントが前記ペーパと噛み合わないようにするストップ機構と、
前記ストップ機構に接続され、前記ストップ機構を前記選択されたブレードセグメントと噛み合うように移動させる第２のドライブと、
を備えることを特徴とする電子写真プリンティングマシン。
【請求項２】  露光された静電潜像を有する帯電された光伝導エレメントがプリンティング媒体として使用され、かつペーパを前記光伝導エレメントに噛み合わせることによって前記潜像を前記ペーパに転写するための手段を含む電子写真プリンティングマシンにおいて、請求項１に記載の前記ペーパと前記光伝導エレメントとの間の接触を向上させるための機構であって、取り扱われるペーパの寸法により複数の構成を提供するように、前記ブレードセグメントが寸法合わせされかつ配置されることを特徴とする電子写真プリンティングマシン。
【請求項３】  露光された静電潜像を有する帯電された光伝導エレメントがプリンティング媒体として使用され、かつペーパを前記光伝導エレメントに噛み合わせることによって前記潜像を前記ペーパに転写するための手段を含む電子写真プリンティングマシンにおいて、請求項１に記載の前記ペーパと前記光伝導エレメントとの間の接触を向上させるための機構であって、前記第１のドライブが、前記ペーパが前記光伝導エレメントとの転写噛み合わせの開始に応じて起動されることを特徴とする電子写真プリンティングマシン。
【請求項４】  露光された静電潜像を有する帯電された光伝導エレメントがプリンティング媒体として使用され、かつペーパを前記光伝導エレメントに噛み合わせることによって前記潜像を前記ペーパに転写するための手段を含む電子写真プリンティングマシンにおいて、請求項１に記載の前記ペーパと前記光伝導エレメントとの間の接触を向上させるための機構が、
前記ペーパの前記光伝導エレメントとの転写噛み合わせへの接近を感知し、接近に応じて信号を発生するために、ペーパの経路内に配置した第１のセンサと、
取り扱うペーパの寸法をモニタし、前記寸法を示す信号を発生するために配置された第２のセンサと、
前記第１及び第２のセンサからの前記信号を受け取り、かつそれらの信号に従って前記第１及び第２のドライブを動作させるように接続されたプロセサであって、前記第１のドライブを前記第１のセンサからの前記信号に応じて前記ブレードセグメントを動かして前記ペーパと噛み合うように動作させ、かつ前記第２のドライブを、前記ペーパの寸法に対する前記ブレードセグメントの構成を調整するために、前記第２のセンサからの前記信号に従って前記ストップ機構を動かして前記選択されたブレードセグメントとの噛み合いを止めるように動作させるプロセサと、
を備えたコントロールシステムをさらに備えることを特徴とする電子写真プリンティングマシン。
【請求項５】  露光された静電潜像を有する帯電された光伝導エレメントがプリンティング媒体として使用され、かつペーパを前記光伝導エレメントに噛み合わせることによって前記潜像を前記ペーパに転写するための手段を含む電子写真プリンティングマシンにおいて、請求項１に記載の前記ペーパと前記光伝導エレメントとの間の接触を向上させるための機構であって、前記ストップ機構が、
第１及び第２の位置の間を共に回転するために、シャフト上に取り付けられたカムセクタと、
前記カムセクタと係合するために、前記ブレードセグメントから伸びる歯止め部材と、
から成り、
前記カムセクタが、前記第１の位置では前記歯止め部材を開放して、前記ブレードセグメントが前記ペーパと噛み合うフル回転を可能にし、前記第２の位置では前記歯止め部材と係合して、前記トーションスプリングに対して前記ブレードセグメントを制限して、前記ペーパとの噛み合いを防止させる、
ことを特徴とする電子写真プリンティングマシン。
【請求項６】  露光された静電潜像を有する帯電された光伝導エレメントがプリンティング媒体として使用され、かつペーパを前記光伝導エレメントに噛み合わせることによって前記潜像を前記ペーパに転写するための手段を含む電子写真プリンティングマシンにおいて、前記ペーパと前記光伝導エレメントとの間の接触を向上させるための方法が、
複数のブレードセグメントを有するブレードアセンブリーを構成するステップと、
共に旋回運動を行うために、ペーパの移動方向に対して横方向に、ペーパ経路内に配置された共通の旋回ロッド上に、前記ブレードセグメントを取り付けるステップと、
前記ブレードセグメントを前記ペーパと噛み合う方向にバイアスするトーションスプリングによって、前記ブレードセグメントを前記旋回ロッドに接続して、前記旋回ロッド上のそれぞれのブレードセグメントの動きを制限できるようにするステップと、
前記ブレードセグメントが前記ペーパと噛み合うように前記旋回ロッドを旋回させて、前記ペーパを前記光伝導エレメントに対して押し付けるステップと、
少なくとも１つの前記ブレードセグメントに選択的に制限を加えて、前記選択されたブレードセグメントの前記ペーパとの噛み合いを防ぐと共に、前記制限されないセグメントを前記ペーパの寸法に一致させるステップと、
を備えることを特徴とする電子写真プリンティングマシン。
【請求項７】  露光された静電潜像を有する帯電された光伝導エレメントがプリンティング媒体として使用され、かつペーパを前記光伝導エレメントに噛み合わせることによって前記潜像を前記ペーパに転写するための手段を含む電子写真プリンティングマシンにおいて、請求項６に記載の、前記ペーパと前記光伝導エレメントとの間の接触を向上させるための方法が、
前記ペーパの前記光伝導エレメントとの転写噛み合わせへの接近を感知し、かつ接近に応じて第１の信号を発生するステップと、
取り扱うペーパの寸法をモニタリングし、前記寸法を示す第２の信号を発生するステップと、
前記第１の信号を処理して、前記信号に応じて前記ブレードアセンブリーを前記ペーパと噛み合わせるために前記旋回ロッドの旋回動作を開始させるステップと、
前記第２の信号を処理して、前記第２の信号に従って、前記選択されたブレードセグメントが前記ペーパと噛み合わないようにするために、少なくとも１つの前記ブレードセグメントを選択的に制限することを開始するステップと、
をさらに備えることを特徴とする電子写真プリンティングマシン。
【請求項８】  露光された静電潜像を有する帯電された光伝導エレメントがプリンティング媒体として使用され、かつペーパを前記光伝導エレメントに噛み合わせることによって前記潜像を前記ペーパに転写するための手段を含む電子写真プリンティングマシンにおいて、請求項１に記載の前記ペーパと前記光伝導エレメントとの間の接触を向上させるための機構であって、前記第１及び第２のドライブが、前記旋回ロッド及び前記ストップ機構の独立した位置合わせを可能にするクラッチによって、前記旋回ロッド及び前記ストップ機構に接続された駆動モータから成ることを特徴とする電子写真プリンティングマシン。